(57)【要約】【課題】画像形成装置において新たな用紙後処理装置が接続されるたびに行われていた表示用画面データのバージョンアップを省略できるようにし、新たな用紙後処理装置の接続を円滑に行うことができるようにする。【解決手段】本発明に係る後処理装置２によれば、ジャム位置画面データ及びジャム解除手順データが画面データ記憶手段２３に記憶され、検知手段２３からの検知信号によりジャムが検知されると、シリアル通信手段２２を介してジャムの検知情報が画像形成装置１に送信されるとともに、ジャムの位置に応じたジャム位置画面データが画面データ記憶手段２４から読み出されて画像形成装置１へ送信される。画像形成装置１からのジャム解除手順画面データ要求が受信されると、ジャムの位置に応じたジャム解除手順画面データが読み出されて画像形成装置１へ送信される。【選択図】  図１
2004219694.tif 000002
【特許請求の範囲】
【請求項１】
画像形成装置から排出された用紙に対して後処理を行う用紙後処理装置において、
前記画像形成装置と通信を行う通信手段と、
前記用紙後処理装置におけるジャムに関する情報を表示するための画面データを記憶する画面データ記憶手段と、
前記ジャムの発生及びそのジャム位置を検知する検知手段と、
前記検知手段によりジャムが検知された際に、前記通信手段を介して前記画像形成装置にジャムの検知を通報すること、前記検知されたジャムに応じた画面データを前記画面データ記憶手段から読み出して送信すること、を制御する制御手段と、を備えたことを特徴とする用紙後処理装置。
【請求項２】
前記画面データ記憶手段は、前記画面データとして各ジャム位置に応じたジャム位置画面データを記憶し、
前記制御手段は、前記検知手段によりジャムが検知された際に、前記通信手段を介して前記画像形成装置にジャムの検知を通報するとともに、前記検知されたジャム位置に応じたジャム位置画面データを前記画面データ記憶手段から読み出して送信することを特徴とする請求項１に記載の用紙後処理装置。
【請求項３】
前記画面データ記憶手段は、前記画面データとして各ジャム位置に応じたジャム解除手順画面データを記憶し、
前記制御手段は、前記画像形成装置からの要求に応じて、前記検知されたジャム位置に応じたジャム解除手順画面データを前記画面データ記憶手段から読み出して前記画像形成装置に送信することを特徴とする請求項１又は２に記載の用紙後処理装置。
【請求項４】
画像形成装置と、画像形成装置から排出された用紙に対して後処理を行う用紙後処理装置とを備えた画像形成システムおいて、
前記用紙後処理装置は、前記画像形成装置と通信を行う通信手段と、前記用紙後処理装置におけるジャムに関する情報を表示するための画面データを記憶する画面データ記憶手段と、前記ジャムの発生及びそのジャム位置を検知する検知手段と、前記検知手段によりジャムが検知された際に、前記通信手段を介して前記画像形成装置にジャムの検知を通報すること、前記検知されたジャムに応じた画面データを前記画面データ記憶手段から読み出して送信すること、を制御する制御手段とを備え、
前記画像形成装置は、前記用紙後処理装置と通信を行う通信手段と、前記通信手段を介して前記用紙後処理装置から受信した画面データを表示する表示手段とを備えたことを特徴とする画像形成システム。
【請求項５】
前記用紙後処理装置の画面データ記憶手段は、前記画面データとして各ジャム位置に応じたジャム位置画面データを記憶し、
前記用紙後処理装置の制御手段は、前記検知手段によりジャムが検知された際に、前記通信手段を介して前記画像形成装置にジャムの検知を通報するとともに、前記検知されたジャム位置に応じたジャム位置画面データを前記画面データ記憶手段から読み出して送信することを特徴とする請求項４に記載の画像形成システム。
【請求項６】
前記用紙後処理装置の画面データ記憶手段は、前記画面データとして各ジャム位置に応じたジャム解除手順画面データを記憶し、
前記画像形成装置は、前記用紙後処理装置に前記ジャム解除手順画面データを要求する制御手段を備え、
前記用紙後処理装置の制御手段は、前記画像形成装置からの要求に応じて、前記検知されたジャム位置に応じたジャム解除手順画面データを読み出して前記画像形成装置に送信することを特徴とする請求項４又は５に記載の画像形成システム。
【発明の詳細な説明】
【０００１】
【発明の属する技術分野】
本発明は、複写機、プリンタ、ファクシミリ及びこれらの諸機能を有する複合機等の画像形成装置により画像が記録された用紙に対して、綴じ処理等の後処理を行う用紙後処理装置、用紙後処理装置と画像形成装置により構成される画像形成システムに関する。
【０００２】
【従来の技術】
従来、デジタル複写機等の画像形成装置において、ジャム（紙詰まり）が発生した際に、それを解除するためのガイダンスを表示する方法が提案されている。
例えば、特許文献１には、デジタル複写機側にガイダンス情報を記憶管理する記憶部を備え、発生したトラブルに対する最適なガイダンス情報を１画面単位、或いは連続的に順次遷移させて表示する技術が開示されている。
【０００３】
【特許文献１】
特開平１１−２３１７２９号公報
【０００４】
【発明が解決しようとする課題】
しかしながら、従来の画像形成装置では操作表示部内のＲＯＭにジャム位置画面やジャム解除手順画面等、ジャム解除のガイダンスのための表示用画面データを保持する構成となっているため、画像形成装置に新たな用紙後処理装置（以下、後処理装置と称する。）が新たに接続された場合に、その都度新しい後処理装置に応じた画面データを新たに開発して操作表示部内のＲＯＭのバージョンアップをしなければならなかった。また、画面データを保持する操作表示部内のＲＯＭの空き容量に余裕がなくなった場合、新しい画面データを追加することができなくなるという問題点があった。
【０００５】
本発明の課題は、画像形成装置において新たな用紙後処理装置が接続されるたびに行われていた表示用画面データのバージョンアップを省略できるようにし、新たな用紙後処理装置の接続を円滑に行うことができるようにすることである。
【０００６】
【課題を解決するための手段】
上記課題を解決するため、請求項１に記載の発明は、
画像形成装置から排出された用紙に対して後処理を行う用紙後処理装置において、
前記画像形成装置と通信を行う通信手段と、
前記用紙後処理装置におけるジャムに関する情報を表示するための画面データを記憶する画面データ記憶手段と、
前記ジャムの発生及びそのジャム位置を検知する検知手段と、
前記検知手段によりジャムが検知された際に、前記通信手段を介して前記画像形成装置にジャムの検知を通報すること、前記検知されたジャムに応じた画面データを前記画面データ記憶手段から読み出して送信すること、を制御する制御手段と、を備えたことを特徴としている。
【０００７】
請求項４に記載の発明は、
画像形成装置と、画像形成装置から排出された用紙に対して後処理を行う用紙後処理装置とを備えた画像形成システムおいて、
前記用紙後処理装置は、前記画像形成装置と通信を行う通信手段と、前記後処理装置におけるジャムに関する情報を表示するための画面データを記憶する画面データ記憶手段と、前記ジャムの発生及びそのジャム位置を検知する検知手段と、前記検知手段によりジャムが検知された際に、前記通信手段を介して、前記画像形成装置にジャムの検知を通報すること、前記検知されたジャムに応じた画面データを前記画面データ記憶手段から読み出して送信すること、を制御する制御手段とを備え、
前記画像形成装置は、前記用紙後処理装置と通信を行う通信手段と、前記通信手段を介して前記用紙後処理装置から受信した画面データを表示する表示手段とを備えたことを特徴としている。
【０００８】
請求項１、４に記載の発明によれば、用紙後処理装置で当該用紙後処理装置において発生したジャムに関する情報を表示するための画面データを画面データ記憶手段に記憶し、ジャムの発生及びそのジャム位置を検知すると、画像形成装置にジャムの検知を通報し、検知されたジャムに応じた画面データを画面データ記憶手段から読み出して送信する。従って、用紙後処理装置側で画像形成装置の操作表示部にて表示する画面データを保持するので、画像形成装置において新たな後処理装置の接続をした場合に、その都度新しい後処理装置に応じた画面データを開発して操作表示部内のＲＯＭの画面データをバージョンアップする必要がなくなる。その結果、新たな用紙後処理装置の接続を円滑に行うことができる。
【０００９】
請求項２に記載の発明は、請求項１に記載の発明において、
前記画面データ記憶手段は、前記画面データとして各ジャム位置に応じたジャム位置画面データを記憶し、
前記制御手段は、前記検知手段によりジャムが検知された際に、前記通信手段を介して前記画像形成装置にジャムの検知を通報するとともに、前記検知されたジャム位置に応じたジャム位置画面データを前記画面データ記憶手段から読み出して送信することを特徴としている。
【００１０】
請求項５に記載の発明は、請求項４に記載の発明において、
前記用紙後処理装置の画面データ記憶手段は、前記画面データとして各ジャム位置に応じたジャム位置画面データを記憶し、
前記用紙後処理装置の制御手段は、前記検知手段によりジャムが検知された際に、前記通信手段を介して前記画像形成装置にジャムの検知を通報するとともに、前記検知されたジャム位置に応じたジャム位置画面データを前記画面データ記憶手段から読み出して送信することを特徴としている。
【００１１】
請求項２、５に記載の発明によれば、用紙後処理装置でジャムが検知された際に、画像形成装置にジャムの検知を通報するとともに、検知されたジャム位置に応じたジャム位置画面データを画面データ記憶手段から読み出して送信する。従って、画像形成装置でジャム位置を表示することができる。
【００１２】
請求項３に記載の発明は、請求項１又は２に記載の発明において、
前記画面データ記憶手段は、前記画面データとして各ジャム位置に応じたジャム解除手順画面データを記憶し、
前記制御手段は、前記画像形成装置からの要求に応じて、前記検知されたジャム位置に応じたジャム解除手順画面データを前記画面データ記憶手段から読み出して前記画像形成装置に送信することを特徴としている。
【００１３】
請求項６に記載の発明は、請求項４又は５に記載の発明において、
前記用紙後処理装置の画面データ記憶手段は、前記画面データとして各ジャム位置に応じたジャム解除手順画面データを記憶し、
前記画像形成装置は、前記用紙後処理装置に前記ジャム解除手順画面データを要求する制御手段を備え、
前記用紙後処理装置の制御手段は、前記画像形成装置からの要求に応じて、前記検知されたジャム位置に応じたジャム解除手順画面データを読み出して前記画像形成装置に送信することを特徴としている。
【００１４】
請求項３、６に記載の発明によれば、用紙後処理装置は画像形成装置からの要求に応じて、検知されたジャム位置に応じたジャム解除手順画面データを前記画面データ記憶手段から読み出して画像形成装置に送信する。従って、画像形成装置で必要に応じてより詳細なジャム解除手順画面データを表示することができる。
【００１５】
【発明の実施の形態】
以下、図を参照して、本発明の実施の形態を詳細に説明する。
まず、構成を説明する。
図１に、本実施の形態における画像形成システム１００の全体構成及び各装置の機能的構成を示す。図１に示すように、画像形成システム１００は、画像形成装置１と後処理装置２とがシリアル通信により接続され、データの送受信が可能なように構成されている。なお、１台の画像形成装置１に接続される後処理装置２の台数は特に限定されない。
【００１６】
次に、画像形成システム１００を構成する各装置について説明する。
まず、画像形成装置１の内部構成について説明する。
【００１７】
図１に示すように、画像形成装置１は、制御手段１１、シリアル通信手段１２、操作手段１３、画像読取手段１４、画像形成手段１５、記録紙収納手段１６、給送手段１７、搬送手段１８、画面データ記憶手段１９等により構成され、各部はバスにより接続されている。
【００１８】
制御手段１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ），ＲＡＭ（Ｒａｍｄｏｍ  Ａｃｃｅｓｓ  Ｍｅｍｏｒｙ）等により構成される。制御手段１１のＣＰＵは、入力手段１３ｂの操作により、ＲＯＭに記憶されているシステムプログラムや各種処理プログラムを読み出してＲＡＭ内に展開し、展開されたプログラムに従って、画像形成装置１各部の動作を集中制御する。
【００１９】
この制御手段１１は、後処理装置２の制御手段２１との間で、後述するコピー動作時データ送受信シーケンスに従い、画像形成装置１の動作に基づいて後処理装置２へコピースタート信号、紙排出信号等の制御信号、ジャム解除手順画面データ要求等を送信し、後処理装置２からジャム検知通報、ジャム位置画面データ、ジャム解除手順画面データ等を受信すると、これに基づいて画像形成装置１各部の動作を停止させたり、表示手段１３ａに受信した画面データを表示させたりする。
【００２０】
シリアル通信手段１２は、シリアル通信Ｉ／Ｆ等により構成され、画像形成装置１と後処理装置２との間でのシリアル通信による制御信号や画面データ等の送受信を制御する。
【００２１】
操作手段１３は、表示手段１３ａ及び入力手段１３ｂを備えて構成されている。表示手段１３ａは、ＬＣＤ（Ｌｉｑｕｉｄ  Ｃｒｙｓｔａｌ  Ｄｉｓｐｌａｙ）により構成され、制御手段１１から入力される表示信号の指示に従って表示画面上に各種操作ボタンや装置の状態表示、各機能の動作状況等の表示を行う。入力手段１３ｂは、ＬＣＤの表示画面上に透明電極を格子状に配置した感圧式（抵抗膜圧式）のタッチパネルにより構成され、手指やタッチペン等で押下された力点のＸＹ座標を電圧値で検出し、検出された位置信号を操作信号として制御手段１１に出力する。また、入力手段１３ｂは、数字ボタン、スタートボタン等の各種操作ボタンを備え、ボタン操作による操作信号を制御手段１１に出力する。
【００２２】
画像読取手段１４は、原稿を載置するコンタクトガラスの下部にスキャナを備えて構成され、原稿の画像を読み取る。スキャナは、光源、ＣＣＤ（Ｃｈａｒｇｅ  Ｃｏｕｐｌｅｄ  Ｄｅｖｉｃｅ）等により構成され、光源から原稿へ照明走査した光の反射光を結像して光電変換することにより原稿の画像を読み取り、読み取った画像を画像形成手段１５に出力する。ここで、画像は、図形や写真等のイメージデータに限らず、文字や記号等のテキストデータ等も含む。
【００２３】
画像形成手段１５は、感光ドラム、トナーなどを備えて構成されており、制御手段１１からの印刷指示に従って、入力手段１３ａから入力指示されたサイズ、向きの用紙が搬送手段１８により搬送されると、感光ドラム表面に、画像読取手段１４から入力された画像の静電潜像を形成する。更に画像形成手段１５は、感光ドラム表面の静電潜像を含む領域にトナーを付着させ、記録紙にトナーを転写して定着させた後、後処理装置２へ排出する。
【００２４】
記録紙収納手段１６は、画像を転写するための記録紙を収納する。記録紙収納手段１６は、記録紙の収納の有無を検知する有無検知手段１６ａ、収納されている紙サイズを検知する紙サイズ検知手段１６ｂを備え、検知信号を制御手段１１に出力する。
【００２５】
給送手段１７は、制御手段１１からの指示に従って、原稿セット位置に載置された原稿の両面を反転し、コンタクトガラス上に自動給送する。搬送手段１８は、制御手段１１からの指示に従って、記録紙収納手段１６に収納されている記録紙を画像形成手段１５等の各部へ搬送する。
【００２６】
画面データ記憶手段１９は、後処理装置２から送信された画面データを一時的に格納するメモリである。
【００２７】
次に、後処理装置２の内部構成について説明する。
図１に示すように、後処理装置２は、制御手段２１、シリアル通信手段２２、検知手段２３、画面データ記憶手段２４、第１搬送手段２５、第２搬送手段２６、第１集積手段２７、第２集積手段２８、スタック整合手段２９、ステープル手段３０、シフト手段３１等により構成され、各部はバスにより接続されている。
【００２８】
制御手段２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｍｄｏｍ  Ａｃｃｅｓｓ  Ｍｅｍｏｒｙ）等により構成される。制御手段２１のＣＰＵは、ＲＯＭに記憶されているシステムプログラムや各種処理プログラムを読み出してＲＡＭ内に展開し、展開されたプログラムに従って、後処理装置２各部の動作を集中制御する。
【００２９】
即ち、制御手段２１は、展開されたプログラムに従って、後述するコピー動作処理を実行し、検知手段２３からジャムの発生が検知されると、各部の動作を停止し、画像形成装置１にジャム検知通報及び検知されたジャムの位置に応じたジャム位置画面データを画面データ記憶手段２４から読み出して送信する。また、画像形成装置１からジャム解除手順画面要求を受信すると、ジャム位置に応じたジャム解除手順画面データを画面データ記憶手段２４から読み出して画像形成装置１に送信する。このコピー動作処理時における画像形成装置１との信号、データの送受信は、後述するコピー動作時データ送受信シーケンスに従って行う。
【００３０】
シリアル通信手段２２は、シリアル通信Ｉ／Ｆ等により構成され、画像形成装置１と後処理装置２との間でのシリアル通信による制御信号、画面データ等の送受信を制御する。
【００３１】
検知手段２３は、図２に示す後処理装置２の詳細構成図におけるバイパスセンサ２３１、スタッカセンサ２３２、フィニッシャ排紙センサ２３３等からなり、記録紙の位置を検知することによりジャムの発生、ジャム位置、ジャム解除を検知し、この検知情報を制御手段２１へ出力する。
【００３２】
画面データ記憶手段２４は、フラッシュメモリ等により構成され、各種ジャム位置画面データ及びジャム解除手順画面データを格納する。
【００３３】
第１搬送手段２５は、図２の搬送路２５１、２５２等であり、モータ等からなる駆動部分を含むローラを用いて画像形成装置１から排出された記録紙を第１集積手段２７のサブトレイ２７１へと搬送する。
【００３４】
第２搬送手段２６は、図２の搬送路２５１、２６２、２６３等であり、モータ等からなる駆動部分を含むローラを用いて画像形成装置１から排出された記録紙をスタック整合手段２９、シフト手段３１等へ搬送する。
【００３５】
第１集積手段２７は、図２のサブトレイ２７１であり、ステープル処理、シフト処理等の後処理を行わない記録紙を排紙して集積する。
【００３６】
第２集積手段２８は、図２のメイントレイ２８１であり、ステープル処理、シフト処理等の後処理がなされた記録紙を集積する。
【００３７】
スタック整合手段２９は、図２に示すように傾斜をもって配設され、搬送路２６２からスタック整合手段２９上部に搬送された記録紙は、自重により平綴じストッパー２９１まで滑り落ちて停止する。これにより、スタック整合手段２９内の複数の記録紙が、搬送方向に位置合わせされ、搬送方向の整合状態となる。また、搬送方向と直交する記録紙面の幅揃えは、図示しない軽打機構により記録紙を軽打し、幅整合が行われる。
【００３８】
ステープル手段３０は、スタック整合手段２９の平綴じストッパー２９１の上方で、搬送方向および幅方向に整合された複数の記録紙にステープルを行う。ステープル手段３０は、制御手段２１からの指示により、ステープル針をスタック整合手段２９の記録紙に打ち込む。ステープルが実行された複数の記録紙は、スタック整合手段２９の排紙ベルト２９２により後端を排出爪により保持されつつ上方に押し上げられ、フィニッシャ排紙センサ２３３を通過した後、メイントレイ２８１に排紙される。
【００３９】
シフト手段３１は、搬送路２５１から搬送路２６３に入力された記録紙を、メイントレイ２８１上に、記録紙搬送方向と直交方向に位置をずらして排紙する。
この位置の移動は、シフト手段３１の搬送ローラ３１１を、搬送を行いつつ搬送方向とは直交する幅方向に移動させることにより行う。
【００４０】
次に、動作について説明する。
図３に、後処理装置２の制御手段２１により実行されるコピー動作処理を示す。
【００４１】
シリアル通信手段２２を介して画像形成装置１からのコピー動作開始指示（コピースタート信号）が受信されると（ステップＳ１；ＹＥＳ）、コピー動作中の処理が行われる（ステップＳ２）。具体的には、初期化処理が行われ、その後、画像形成装置１から排紙される記録紙の受け取り処理、受け取られた記録紙に対する後処理等が行われる。検知手段２３により起因ジャム（コピー動作中のジャム）の発生が検知されると（ステップＳ３；ＹＥＳ）、後処理装置２各部の停止処理が行われ（ステップＳ４）、ジャムの発生を画像形成装置１に通報するための起因ジャムコードデータが送信バッファにセットされるとともに（ステップＳ５）、画面データ記憶手段２４からジャムの位置に応じたジャム位置画面データが読み出され送信バッファにセットされる（ステップＳ６）。そして、シリアル通信手段２２を介して画像形成装置１へ送信される（ステップＳ７）。
【００４２】
送信後、ジャムの解除が待機され、検知手段２３によりジャム解除が検知されると（ステップＳ８；ＹＥＳ）、処理はステップＳ１に戻る。ジャム解除が検知されない場合（ステップＳ８；ＮＯ）、画像形成装置１からのジャム解除手順画面データの送信要求が受信されると（ステップＳ９；ＹＥＳ）、画面データ記憶手段２４からジャムの位置に応じたジャム解除手順画面データが読み出され、送信バッファにセットされ（ステップＳ１０）、シリアル通信手段２２を介して画像形成装置１へ送信される（ステップＳ１１）。そして、処理はステップＳ８に戻り、ジャムの解除の待機が行われる。
【００４３】
図４に、画像形成装置１の制御手段１１と後処理装置２の制御手段２１により実行されるコピー動作時データ送受信シーケンスを示す。このシーケンスは、上述した図３の制御手段２１によるコピー動作処理の最中に制御手段２１と制御手段１１間で行われるものである。
【００４４】
画像処理装置１において、入力手段１３ｂからコピースタート開始が指示されると（ステップＳ１０１）、制御手段１１から制御手段２１へコピースタート信号が送信される（ステップＳ１０２）。後処理装置２において、コピースタート信号が受信されると、コピースタート時の初期化処理が実行される（ステップＳ１０３）。
【００４５】
画像形成装置１において、コピー処理が実行され、画像形成された記録紙が後処理装置２へ排出されると（ステップＳ１０４）、制御手段１１から制御手段２１へ紙排出信号が送信される（ステップＳ１０５）。後処理装置２において、制御手段２１によりこの信号が受信されると、排出された記録紙の受け取り処理及び後処理が実行される（ステップ１０６）。ステップＳ１０４〜Ｓ１０６は、記録紙が排紙される毎に繰り返し実行される。
【００４６】
後処理装置２にジャムが発生し、検知手段２３からジャムが検知されると（ステップＳ１０７）、制御手段２１から制御手段１１へジャム検知情報が送信され、併せて画面データ記憶手段２４からジャム位置に応じたジャム位置画面データが読み出され、送信される（ステップＳ１０８）。画像形成装置１において、この検知情報及びジャム位置画面データが受信されると、受信されたジャム位置画面データが画面データ記憶手段１９に一時的に格納され、制御手段１１の制御により表示手段１３ａに表示される（ステップＳ１０９）。
【００４７】
入力手段１３ｂによりジャム解除手順画面の表示が指示されると（ステップＳ１１０）、制御手段１１から制御手段２１へジャム解除手順画面データ要求が送信される（ステップＳ１１１）。後処理装置２の制御手段２１によりこの要求が受信されると、画面データ記憶手段２４からジャム位置に応じたジャム解除手順画面データが読み出され、画像形成装置１へ送信される（ステップＳ１１２）。
画像形成装置１において、ジャム解除手順画面データが受信されると、当該画面データが画面データ記憶手段１９に一時的に格納され、制御手段１１の制御により表示手段１３ａに表示される（ステップＳ１１３）。
【００４８】
図５（ａ）は、図４のステップＳ１０９で表示手段１３ａに表示されるジャム位置表示画面１３１の一例を示す図である。図５（ａ）に示すように、ジャム位置表示画面１３１には「紙づまりです。ガイドに従ってペーパーを取り除いてください」等のジャムを通報するメッセージ、ジャム位置のイラスト表示及びジャム解除のための説明文が表示される。画面右上の「イラスト説明」ボタン１３１ａが押下されると、図５（ｂ）に示すジャム解除手順画面１３２が表示され、ジャム解除手順がイラスト及び文字説明によりガイダンス表示される。更に矢印ボタンを押下することにより次ページを表示させると、図５（ｃ）に示すジャム解除手順画面１３３が表示される。このように、ジャム解除手順を順次表示していくことができる。
【００４９】
以上説明したように、後処理装置２によれば、ジャム位置画面データ及びジャム解除手順データが画面データ記憶手段２４に記憶され、検知手段２３からの検知信号によりジャムが検知されると、シリアル通信手段２２を介してジャムの検知情報が画像形成装置１に送信され、ジャムが通報されるとともに、検知されたジャムの位置に応じたジャム位置画面データが画面データ記憶手段２４から読み出されて画像形成装置１へ送信される。画像形成装置１においては、受信したジャム位置画面データが表示手段１３ａに表示される。
【００５０】
更に、後処理装置２において、画像形成装置１からのジャム解除手順画面データ要求が受信されると、ジャムの位置に応じたジャム解除手順画面データが読み出されて画像形成装置１へ送信される。画像形成装置１は、受信したジャム解除手順画面データが表示手段１３ａに表示される。
【００５１】
従って、後処理装置２側で画面データを保持するので、画像形成装置１において、新たな後処理装置２の接続をした場合に、その都度新しい後処理装置２に応じた画面データを開発して画面データをバージョンアップする必要がなくなる。
その結果、操作手段１３内のＲＯＭ空き容量不足により、新しい画面データを追加できなくなるといった不具合や、画面データが新たな後処理装置２に対応していないことによる不具合等を防止することができ、後処理装置２の接続を円滑に行うことができる。
【００５２】
なお、上記実施の形態における記述内容は、本発明に画像形成システム１００の好適な一例であり、これに限定されるものではない。
例えば、上記実施の形態においては、好ましい実施の形態として、ジャム位置画面及びジャム解除手順画面の双方を画像形成装置側で表示可能な構成としたが、ジャム位置画面のみを表示するシステム又はジャム解除手順画面のみを表示するシステムとして構成するようにしてもよい。このようにすると、画像形成システムを簡易な構成とすることができる。
【００５３】
また、本実施の形態においては、画像形成装置１を複写機として説明したが、プリンタ、ファクシミリ等の画像形成装置にも適用することができる。
【００５４】
その他、印刷システム１００を構成する各装置の細部構成及び細部動作に関しても、本発明の趣旨を逸脱することのない範囲で適宜変更可能である。
【００５５】
【発明の効果】
請求項１、４に記載の発明によれば、用紙後処理装置で当該用紙後処理装置において発生したジャムに関する情報を表示するための画面データを画面データ記憶手段に記憶し、ジャムの発生及びそのジャム位置を検知すると、画像形成装置にジャムの検知を通報し、検知されたジャムに応じた画面データを画面データ記憶手段から読み出して送信する。従って、用紙後処理装置側で画像形成装置の操作表示部にて表示する画面データを保持するので、画像形成装置において新たな後処理装置の接続をした場合に、その都度新しい後処理装置に応じた画面データを開発して操作表示部内の画面データをバージョンアップする必要がなくなる。
その結果、新たな用紙後処理装置の接続を円滑に行うことができる。
【００５６】
請求項２、５に記載の発明によれば、用紙後処理装置でジャムが検知された際に、画像形成装置にジャムの検知を通報するとともに、検知されたジャム位置に応じたジャム位置画面データを画面データ記憶手段から読み出して送信する。従って、画像形成装置でジャム位置を表示することができる。
【００５７】
請求項３、６に記載の発明によれば、用紙後処理装置は画像形成装置からの要求に応じて、検知されたジャム位置に応じたジャム解除手順画面データを前記画面データ記憶手段から読み出して画像形成装置に送信する。従って、画像形成装置で必要に応じてより詳細なジャム解除手順画面データを表示することができる。
【図面の簡単な説明】
【図１】本発明に係る画像形成システム１００の全体構成及び各装置の機能的構成を示す図である。
【図２】図１の後処理装置２の詳細構成を示す図である。
【図３】図１の制御手段２１により実行されるコピー動作処理を示すフローチャートである。
【図４】図１の制御手段１１と制御手段２１の間で行われるコピー動作時データ送受信を示すシーケンスチャートである。
【図５】図１の表示手段１３ａに表示されるジャム位置画面１３１、ジャム解除手順画面１３２、１３３の一例を示す図である。
【符号の説明】
１００    画像形成システム
１      画像形成装置
１１    制御手段
１２    シリアル通信手段
１３    操作手段
１３ａ    表示手段
１３ｂ    入力手段
１４    画像読取手段
１５    画像形成手段
１６    記録紙収納手段
１６ａ    有無検知手段
１６ｂ    紙サイズ検知手段
１７    給送手段
１８    搬送手段
１９    画面データ記憶手段
２    後処理装置
２１    制御手段
２２    シリアル通信手段
２３    検知手段
２４    画面データ記憶手段
２５    第１搬送手段
２６    第２搬送手段
２７    第１集積手段
２８    第２集積手段
２９    スタック整合手段
３０    ステープル手段
３１    シフト手段
【図１】
2004219694.tif 000003
【図２】
2004219694.tif 000004
【図３】
2004219694.tif 000005
【図４】
2004219694.tif 000006
【図５】
2004219694.tif 000007